(57)【特許請求の範囲】
【請求項１】
一対の連結片を備え、当該連結片各々が、
外周面を挟んで対向する吸着面と非吸着面とを有する＿磁石と、
ヨーク外周面を有する単層もしくは積層のヨーク板と、を有し、
当該ヨーク板は当該磁石の前記非吸着面を覆うように当該非吸着面と同じ形状または非吸着面よりも僅かに大きく形成してあり、
当該吸着面には二極以上の極を着磁してあり、
当該磁石は、非吸着面に吸着面と逆の磁極が現れるものであることを特徴とするアクセサリーの磁石連結具。
【請求項２】
前記磁石の外周面もしくは前記ヨーク板のヨーク外周面のいずれか一方、または、前記磁石の外周面および前記ヨーク板のヨーク外周面の双方に、凹部もしくは突部を少なくとも１個形成してある
ことを特徴とする請求項１記載のアクセサリーの磁石連結具。
【請求項３】
非磁性体によって構成した一端開口円筒状のケーシングにより前記磁石および前記ヨーク板を被覆してあり、当該ケーシングの開口を閉鎖部材によって閉鎖してある
ことを特徴とする請求項１または２記載のアクセサリーの磁石連結具。
【請求項４】
前記ケーシングの外周面は平面視略円形であって、当該外周面には凹部もしくは突部を少なくとも１個形成してある
ことを特徴とする請求項３記載のアクセサリーの磁石連結具。
【発明の詳細な説明】
【技術分野】
【０００１】  本発明は、アクセサリーの磁石連結具に関し、特にヨーク付き磁石の吸着面に二極以上の極を着磁してあるアクセサリーの磁石連結具に関する。
【背景技術】
【０００２】  ヨーク付き磁石としては、特許文献１に記載されたヨーク付き磁石（以下、「従来の第１磁石」）がある。従来の第１磁石は、円周方向に交互に異極となるように着磁したリング状の磁石と、そのリング状の磁石の一端面に固着したリング状のヨーク板と、により構成されている。従来の第１磁石はプリンターなどの回転軸を内部に貫通させ、回転軸からの磁気漏れやトナー漏れなどをシールすることを目的とする。また、特許文献２には、２色成形機によりヨーク部材料ないし磁石部材料の一方を射出成型し、型内冷却後、他方の材料を射出して両部を融着させて作るヨーク一体型磁石（以下、「従来の第２磁石」）が開示されている。従来の第１磁石と同様に従来の第２磁石も、トナー漏れを防止することが目的とされている。特許文献２は着磁についての記載を含まず、従来の第２磁石の形状はリング状ではない。
【先行技術文献】
【特許文献】
【０００３】
【特許文献１】特開２０００−９８７４１号公報（段落００２７、図６Ａ参照）
【特許文献２】特開２００６−３３９５６５号公報（段落００１３、図３参照）
【発明の概要】
【発明が解決しようとする課題】
【０００４】  しかしながら、上記従来の第１磁石および従来の第２磁石は、内部に貫通させた回転軸すなわち、回転物との相対位置は刻々変化するものであり、＿磁極並びを考慮する必要はない。したがって、従来の第１磁石や従来の第２磁石は、プリンターなどの回転軸のシール部材として適していても、吸着面を介して対向する他の吸着面に吸着させる部材としては必ずしも適していない。一方の連結片に係る吸着面に表れる複数の磁極は連結具の他方の連結片に係る吸着面にも影響を与え、もしくは他方の連結片に係る吸着面から影響を受ける＿からである。本発明が解決しようとする課題は、使い勝手が良く、磁気漏れの少ないアクセサリーの磁石連結具を提供することにある。
【課題を解決するための手段】
【０００５】  上記課題を解決するために本発明は、次の構成を備えている。いずれかの請求項記載の発明を説明するに当たって行う用語の定義等は、その記載順や表現の違いなどに関わらず性質上可能な範囲において他の請求項記載の発明にも適用があるものとする。【０００６】（請求項１記載の発明の特徴）
請求項１記載の発明に係るアクセサリーの磁石連結具（以下、「請求項１の連結具」という）は、一対の連結片を備え、当該連結片各々が、外周面を挟んで対向する吸着面と非吸着面とを有する＿磁石と、ヨーク外周面を有する単層もしくは積層のヨーク板と、を有している。その上で、当該ヨーク板は当該磁石の前記非吸着面を覆うように当該非吸着面と同じ形状または非吸着面よりも僅かに大きく形成してあり、当該吸着面には二極以上の極を着磁してあり、当該磁石は、非吸着面に吸着面と逆の磁極が現れるものである。使用可能な磁石であれば、その種類は問わない。フェライト磁石でも金属磁石でも、これら以外の磁石でもよい。ヨーク板は、純鉄やニッケル、その他の磁性体を用いることができる。ヨーク板は、磁石との関係で磁気回路を作り、磁束漏れを少なくするための部材である。ヨーク外周面は文字通りヨーク板の外周面である。磁石の外周面との区別のためにヨーク外周面とした。【０００７】    請求項１の連結具によれば、当該吸着面には二極以上の極を着磁してある磁石であって、磁石には非吸着面に吸着面と逆の磁極が現れている。また、ヨーク板は当該非吸着面と同じ形状または非吸着面よりも僅かに大きく形成してあり非吸着面を覆うようになっている。ここで、連結具の一方と他方とに取り付けてある磁石の極性配置を逆にする。つまり、一方がＮ極なら他方がＳ極になることにより、両者が互いに吸着して連結具の連結が行われる。この連結を解除するには、対向極が同極となるように両者の相対位置を変えてあげれば、同極反発を利用して一方の磁石と他方の磁石とを簡単に分離することができる。そのため、たいへん使い勝手の良い＿アクセサリーの磁石連結具を提供することができる。また、ヨーク板が磁石との関係で磁気回路を作り、磁気漏れを少なくできる。【０００８】（請求項２記載の発明の特徴）  請求項２記載の発明に係るアクセサリーの磁石連結具（以下、「請求項２の連結具」という）は、請求項１の連結具であって、前記磁石の外周面もしくは前記ヨーク板のヨーク外周面のいずれか一方、または、前記磁石の外周面および前記ヨーク板のヨーク外周面の双方に、凹部もしくは突部を少なくとも１個形成してある。【０００９】  請求項２の連結具によれば、請求項１の連結具の作用効果に加え、凹部もしくは突部の存在により、ヨーク付き磁石がその取付先である連結具本体に対する相対位置を一定とすることができる。上記磁石が円柱であると、連結具本体に対して回転しやすく、回転を許すと連結およびその解除に不都合が生じやすいので、これを防止するためである。つまり、ヨーク付き磁石を連結具本体に取り付ける際に円柱状のままの磁石では、円周方向位置決めが不便であり、さらに取り付けた後の円周方向回転が生じる恐れがあるので、その恐れを払しょくするためのものである。【００１４】（請求項３記載の発明の特徴）
請求項３記載の発明に係るアクセサリーの磁石連結具（以下、「請求項３の連結具」という）は、請求項１または２の連結具であって、非磁性体によって構成した一端開口円筒状のケーシングにより前記磁石および前記ヨーク板を被覆してあり、当該ケーシングの開口を閉鎖部材によって閉鎖してある。【００１５】  請求項３の連結具によれば、請求項１または２の連結具の作用効果に加え、ケーシングの被覆効果により磁石やヨーク板を物理的衝撃や錆などから有効に保護される。美的外観を作る上でもケーシングは有効である。磁石とヨーク板とを一体化させる機能をケーシングに持たせてもよい。【００１６】（請求項４記載の発明の特徴）
請求項４記載の発明に係る＿アクセサリーの磁石連結具（以下、「請求項４の連結具」という）は、請求項３の連結具であって、前記ケーシングの外周面は平面視略円形であって、当該外周面には凹部または突部を少なくとも１個形成してある。【００１７】  請求項４の連結具によれば、請求項３の連結具の作用効果に加え、凹部もしくは突部の存在により、ヨーク付き磁石がその取付先である連結具本体に対する相対位置を一定とすることができる。上記ケーシングが平面視略円形であるため、連結具の本体に対して回転しやすく、回転を許すと連結およびその解除に不都合が生じやすいので、これを防止するためである。つまり、ヨーク付き磁石を連結具の本体に取り付ける際の周方向回転止めを目的としている。
【発明の効果】
【００１８】  本発明によれば、使い勝手が良く、磁気漏れの少ないアクセサリーの磁石連結具を提供することができる。
【図面の簡単な説明】
【００１９】
【図１】本実施形態に係る磁石連結具を示す斜視図である。
【図２】図１に示す磁石及び磁石及びヨーク板のＡ−Ａ断面図である。
【図３】図１に示すヨーク板の形状を変更した例である。
【図４】（Ａ）は本実施形態の第１変形例である磁石及びヨーク板の分解斜視図であり、（Ｂ）は（Ａ）に示す磁石及びヨーク板を一体化した状態のＢ−Ｂ断面図である。
【図５】本実施形態の第２変形例である連結具を構成する一方の連結片を示す斜視図である。
【図６】図５に示すケーシングの平面図である。
【図７】図５に示す連結具の連結片を図示省略したＣ−Ｃ断面図である。
【図８】図５に示す連結具の連結片を図示省略した分解図である。
【発明を実施するための形態】
【００２０】  以下、各図を参照しながら、本発明を実施するための形態（以下、適宜「本実施形態」という）について説明する。
【００２１】（連結具の概略構造）  図１および２に示すのは、連結具１を構成する一対の連結片１０１、１０３及び一方の連結片１０１の中に取り付けた磁石３と磁石３と一体化したヨーク板５である。本実施形態に係る連結片１０１は、卵を半分にしたようなドーム型の形状をしており、ネックレスやブレスレットなどのアクセサリーその他の紐体の一端と他端とを連結する連結具１の一方を構成する。一方の連結片１０１と対となる他方の連結片１０３は、その磁石（図示を省略）の磁極の並び方向が一方の連結片１０１のそれと逆である点を除いてその基本構造を共通にする。したがって、以下の説明は、一方の連結片１０１とそれに取り付けられた磁石３およびヨーク板５について説明する。
【００２２】（磁石の構造）  図１および２に示す磁石３は、外周面３ｂを挟んで対向する吸着面３ａとその反対側の面となる非吸着面３ｃ（図２参照）とを有する基本形状が円柱状の磁石である。この円柱状の磁石３は、外周面３ｂの高さ方向全長に渡り２か所の面取りをしてある。この結果、吸着面３ａと非吸着面３ｃは、いずれも非円形の形状となるが、これは、円柱状のものに平面視Ｄ形状の同じ大きさの凹部３ｄを２か所に設けた結果である。凹部３ｄを設けた理由は、磁石３（ヨーク板５）の連結片１０１に対する円周方向の回転止めを図るためである。
【００２３】  つまり、凹部３ｄがない円柱状のままの磁石では、連結片１０１に取り付けるときの円周方向位置決めが不便であり、さらに取り付けた後の円周方向回転が生じる恐れがある。凹部３ｄは、これらの不便と恐れを解消するために設けた。凹部３ｄは１個あれば足りるが、同じ大きさの凹部３ｄを対称位置に２か所設けたのは、１か所であると時計回りもしくは反時計回りに最大１８０度ほど円周方向に回転させないと凹部３ｄを求める位置に移動させることができないが、２か所に設けておけば最大９０度ほどの回転で足り、それだけ組み立ての際の手間を省くことができるからである。凹部３ｄを平面視Ｄ形状にしたのはその形状がシンプルであるため形成しやすいことがその理由であるが、この形状に限る必要はなく回転止めができる形状であれば適宜採用して良い。凹部の代わりに突部を形成してもよい。
【００２４】  磁石３の吸着面３ａには、吸着面３ａの直径方向に並ぶ相異なる二極の磁極のみが現れるように着磁してある。本実施形態の磁石３は、これを両面４極磁石により構成してある。ここで採用した両面４極磁石は、吸着面３ａの半分にＮ極、他の半分にＳ極が着磁してあり、各々の極の非吸着面３ｃには、上記と逆の極性が着磁してある。両面４極以外の磁石、たとえば、＿吸着面と非吸着面それぞれにＮ極とＳ極を持つが吸着面の磁力に比べ非吸着面の磁力が弱い片面２極磁石、同じくＮ極とＳ極を２個ずつ持つ片面４極＿などがありこれらを排除するものではない。しかし、たとえば、回転解除する方式の連結具において両面４極磁石を用いた場合、連結解除するためにはほぼ１６０度ほど連結位置から周方向回転させる必要がある。一方、片面多極磁石を用いると９０度以下の回転で連結が解除される。ネックレスのようなアクセサリー（装身具）は、身に付けている最中に手や髪の毛、さらに衣服などに絡まって９０度近い回転がないとは言えず、そうであれば連結解除により装身具の紛失という恐れもある。したがって、安全のためには１６０度ほどの回転を見込んでおくことが好ましい。なお、片面２極ではなく両面４極を採用したのは、同じ定格の磁石であっても両面４極のほうがより磁力が強いと思われるからである。
【００２５】（ヨーク板の構造）  ヨーク板５は、純鉄やニッケル、さらにフェライト系ステンレスなどの磁性体により構成する。ヨーク板５の形状は、磁石３の非吸着面３ｃをほぼ被覆するように非吸着面３ｃとほぼ同じ形状に形成してあるが、図３（Ａ）に示すヨーク板５Ａのように非吸着面３ｃよりも僅かに大きい相似形に形成したり、図３（Ｂ）および（Ｃ）に示すように非吸着面３ｃからはみ出した周縁を磁石３側に起立させた周壁部（８Ｂ，８Ｃ）を設けてもよい。周壁部を設けるのは、磁石３の磁束漏れの防止効率をより高めるためである。二点鎖線で示す（断面図では実線で示す）磁石３Ａ、３Ｂ、３Ｃは円柱状になっているが、これらに凹部を形成することを妨げない。なお、ヨーク板５は、単層でもよいが薄い板を積層して形成してもよい。図２に示す符号５ｂは、ヨーク板５の外周面を示す。
【００２６】  磁石３とヨーク板５との一体化は、溶接、ロウ付け、ハンダなどによって行うのが一般的である。したがって、本実施形態に係る磁石３は、＿磁石３とヨーク板５と接着層７により構成されている。接着層は、磁石とヨーク板とを溶接材、ロウ付け材、ハンダ材、その他接着剤などによって形成される。先に述べた特許文献１が示す融着による一体化等も採用可能である。
【００２７】（本実施形態の第１変形例）  図４を参照しながら、本実施形態の変形例について説明する。図４に示すように磁石１３にはヨーク板１５を一体化してあるが、この磁石１３は円柱状で凹部や突部を有しない。その代わり、磁石１３よりも直径の大きい円形のヨーク板１５には、磁石１３からはみ出した周縁に半円形状の凹部１７，１７を連結具１（連結片１０１，１０３）との間の回転止めの目的で形成してある。ここでは凹部１７の個数を２個としたが少なくとも１個で足り、３個以上としてもよい。また、凹部は、磁石１３に併せて形成することを妨げない（図示省略）。すなわち、前記した本実施形態を含め凹部の形成は、磁石にだけでもよいしヨーク板だけでもよい。さらに磁石とヨーク板の双方に設けることもできる。
【００２８】（本実施形態の第２変形例）  図５ないし８を参照しながら、本実施形態の第２変形例について説明する。第２変形例の特徴は、ケーシングを備えている点である。すなわち、磁石４１およびヨーク板４３は、非磁性体によって構成した一端開口円筒状のケーシング３１により被覆されている。ケーシング３１は、磁石ケーシング部３３と、磁石ケーシング部３３の開口側に段部３５を介して続く大径のヨーク板ケーシング部３７により構成してある。磁石とケーシングを同じ大きさとするのであれば、段部３５を設ける必要はない。磁石ケーシング部３３は、凹部３３ａを形成した平面視Ｄ形状の円筒ケースであり、その中に平面視Ｄ形状の磁石４１を入れるようになっている。両者をＤ形状に形成したのは磁石ケーシング部３３と磁石４１との間の円周方向の回転止めのためである。Ｄ形状形成のためのカットを、２箇所以上としてもよい。
【００２９】  ヨーク板ケーシング部３７は、ヨーク板４３を被覆するためのケーシングである。ヨーク板ケーシング部３７の周縁には、周方向回転止めを目的とした複数の凹部３７ａ，・・を周方向等間隔に形成してある。それぞれの凹部３７ａの形状は連結片１０１，１０３の形状や形態等に合わせて自由に設定することができる。ヨーク板ケーシング部３７の開放端（図８の下端）には、複数（ここでは４個）の固定爪３７ｂ，・・を延長形成してある。固定爪３７ｂ各々は、これを内側に折り曲げて磁石４１、ヨーク板４３、さらに、開口を閉鎖する閉鎖部材４５をケーシング３１に固定するための部材である。ヨーク板４３の固定により、ケーシング３１の開口が閉鎖される。ケーシング３１の被覆効果により磁石４１やヨーク板４３を物理的衝撃や錆などから有効に保護することができる。さらに、美的外観を作る上でもケーシングは有効である。磁石４１とヨーク板４３とは、前者を先に入れてから後者を入れて固定することにより両者を一体化させるようにしてもよい。
【符号の説明】
【００３０】    １      連結具    ３      磁石    ５      ヨーク板    ７      接着層  １３      磁石  １５      ヨーク板  １７      凹部  ３１      ケーシング  ３３      磁石ケーシング部  ３５      段部  ３７      ヨーク板ケーシング部  ３７ａ    凹部  ３７ｂ    固定爪  ４１      磁石  ４３      ヨーク板  ４５      閉鎖部材１０１      連結片１０３      連結片
【図１】
0005565626.tif 000002
【図２】
0005565626.tif 000003
【図３】
0005565626.tif 000004
【図４】
0005565626.tif 000005
【図５】
0005565626.tif 000006
【図６】
0005565626.tif 000007
【図７】
0005565626.tif 000008
【図８】
0005565626.tif 000009